(57)【要約】【課題】秘密文書が不正に複写などされたりすることを抑制することや不正複写などの発生原因を究明するための情報を保持することができる技術を提供する。【解決手段】画像処理装置１は、表示画面または操作ボタンを有する操作部７０と、原稿の画像を読み取る画像読取部３０と、画像読取部３０が行う画像の読み取り処理は許可するが画像読取部３０が読み取った画像の出力処理は許可しない警備期間を設定する警備期間設定部１１２と、警備期間設定部１１２が警備期間と設定しているときに行われた操作部７０の操作履歴を記憶する履歴記憶部の一例としての記憶部４０を含む。また、記憶部４０は、警備期間設定部１１２が警備期間と設定しているときに操作部７０から出力処理の要求の操作が行われた場合に、画像読取部３０で読み取った画像を少なくとも警備期間設定部１１２が警備期間を解除するまで記憶する。【選択図】図１
2009278492.tif 000002
【特許請求の範囲】
【請求項１】
表示画面または操作ボタンを有する操作部と、
原稿の画像を読み取る画像読取部と、
前記画像読取部が行う画像の読み取り処理は許可するが当該画像読取部が読み取った画像の出力処理は許可しない警備期間を設定する警備期間設定部と、
前記警備期間設定部が前記警備期間と設定しているときに行われた前記操作部の操作履歴を記憶する履歴記憶部と、
を含むことを特徴とする画像処理装置。
【請求項２】
前記警備期間設定部は、前記警備期間と設定しているときに所定の条件が満足した場合には当該警備期間を解除するものであり、
前記警備期間設定部が前記警備期間と設定しているときに前記操作部から前記出力処理の要求の操作が行われた場合に、前記画像読取部で読み取った画像を少なくとも当該警備期間設定部が当該警備期間を解除するまで記憶する画像記憶部をさらに含むことを特徴とする請求項１記載の画像処理装置。
【請求項３】
前記警備期間設定部は、前記警備期間と設定しているときに前記操作部から所定の操作が行われた場合には当該警備期間を解除するものであり、
前記警備期間設定部が前記警備期間と設定しているときに前記操作部から前記画像読取部を用いる処理を要求する操作が行われた場合には、当該画像読取部に原稿を読み取らせた後に、ユーザに対して当該警備期間を解除するための前記所定の操作を促す制御部をさらに含むことを特徴とする請求項２に記載の画像処理装置。
【請求項４】
前記制御部は、前記警備期間設定部が前記警備期間と設定しているときに前記操作部から前記画像読取部を用いる処理を要求する操作が行われた場合に、ユーザに対して処理対象の原稿を全て当該画像読取部に読み取らせるように促すことを特徴とする請求項３に記載の画像処理装置。
【請求項５】
前記履歴記憶部または前記画像記憶部は、記憶した前記操作履歴または前記読み取った画像を、ユーザから削除すべき旨の指示がなされない限り一定期間記憶することを特徴とする請求項１から４のいずれか１項に記載の画像処理装置。
【請求項６】
前記出力処理は、前記画像読取部が読み取った画像を媒体に出力する処理または当該画像の画像信号をＬＡＮあるいは通信回線に出力する処理であることを特徴とする請求項１から５のいずれか１項に記載の画像処理装置。
【請求項７】
前記警備期間設定部は、前記警備期間と設定しているときに所定の条件が満足した場合には当該警備期間を解除するものであり、
前記警備期間設定部が前記警備期間と設定しているときには前記操作部の操作履歴を削除可能な特殊モードへの動作モードの切り替えを不許可とし、当該警備期間設定部が当該警備期間を解除したときには当該特殊モードへの動作モードの切り替えを許可する動作モード切替部をさらに含むことを特徴とする請求項１から６のいずれか１項に記載の画像処理装置。
【請求項８】
前記動作モード切替部は、前記操作部から所定の操作がなされた場合に前記特殊モードに切り替えることを特徴とする請求項７に記載の画像処理装置。
【請求項９】
コンピュータに、
表示画面または操作ボタンを有する操作部の操作履歴を取得する機能と、
原稿の画像を読み取る画像読取部が行う画像の読み取り処理は許可するが当該画像読取部が読み取った画像の出力処理は許可しない警備期間を設定する機能と、
前記設定する機能が前記警備期間と設定しているときに前記取得する機能が取得した前記操作部の操作履歴を記憶部に記憶させる機能と、
を実現させるためのプログラム。
【請求項１０】
前記設定する機能により前記警備期間と設定しているときに所定の条件が満足した場合には当該警備期間を解除する機能と、
前記設定する機能により前記警備期間と設定しているときに前記取得する機能が取得した前記操作履歴により前記出力処理の要求の操作が行われたと認識した場合に、前記画像読取部で読み取った画像を少なくとも前記解除する機能が当該警備期間を解除するまで前記記憶部に記憶させる機能と、
をさらに含むことを特徴とする請求項９記載のプログラム。
【発明の詳細な説明】
【技術分野】
【０００１】
本発明は、画像処理装置等に関する。
【背景技術】
【０００２】
近年、例えば、複写機能、ファクシミリ機能などの画像読取部を備えた画像形成装置に、外部からの侵入者を監視する機能を持たせる技術が注目されている。
例えば特許文献１では、次のような技術が記載されている。すなわち、画像形成装置に、人体の存在を検知する人体検知手段Ａと、外部からの侵入者を監視する侵入者監視モードを設定する侵入者監視モード設定手段Ｂと、外部から侵入者を監視する侵入者監視手段Ｃとを設ける。侵入者監視手段Ｃは、侵入者監視モードが設定されている時に人体検知手段Ａによって人体の存在が検知されたか否かをチェックすることにより外部からの侵入者を監視するものである。そして、侵入者監視手段Ｃに、侵入者監視モードが設定されている時に、人体検知手段Ａによって人体の存在が検知された場合には、何者かが侵入した旨を通信回線を介して外部装置へ通報する通報手段と、送信に伴う表示を禁止する手段を設けている。
【０００３】
【特許文献１】特許第３２７８３００号公報
【発明の開示】
【発明が解決しようとする課題】
【０００４】
例えば複写機能、ファクシミリ機能などの画像読取部を備えた画像処理装置を用いて、秘密文書が不正に読み取られることにより、情報漏洩が生じるおそれがある。例えば、夜間などの警備が重要となる期間では不正な作業が行われやすく、かかる期間における秘密文書の不正複写などを抑制し、また不正複写などがなされた際には、その事実を把握することが望まれている。
【課題を解決するための手段】
【０００５】
請求項１に記載の発明は、表示画面または操作ボタンを有する操作部と、原稿の画像を読み取る画像読取部と、前記画像読取部が行う画像の読み取り処理は許可するが当該画像読取部が読み取った画像の出力処理は許可しない警備期間を設定する警備期間設定部と、前記警備期間設定部が前記警備期間と設定しているときに行われた前記操作部の操作履歴を記憶する履歴記憶部と、を含むことを特徴とする画像処理装置である。
請求項２に記載の発明は、前記警備期間設定部は、前記警備期間と設定しているときに所定の条件が満足した場合には当該警備期間を解除するものであり、前記警備期間設定部が前記警備期間と設定しているときに前記操作部から前記出力処理の要求の操作が行われた場合に、前記画像読取部で読み取った画像を少なくとも当該警備期間設定部が当該警備期間を解除するまで記憶する画像記憶部をさらに含むことを特徴とする請求項１記載の画像処理装置である。
【０００６】
請求項３に記載の発明は、前記警備期間設定部は、前記警備期間と設定しているときに前記操作部から所定の操作が行われた場合には当該警備期間を解除するものであり、前記警備期間設定部が前記警備期間と設定しているときに前記操作部から前記画像読取部を用いる処理を要求する操作が行われた場合には、当該画像読取部に原稿を読み取らせた後に、ユーザに対して当該警備期間を解除するための前記所定の操作を促す制御部をさらに含むことを特徴とする請求項２に記載の画像処理装置である。
請求項４に記載の発明は、前記制御部は、前記警備期間設定部が前記警備期間と設定しているときに前記操作部から前記画像読取部を用いる処理を要求する操作が行われた場合に、ユーザに対して処理対象の原稿を全て当該画像読取部に読み取らせるように促すことを特徴とする請求項３に記載の画像処理装置である。
【０００７】
請求項５に記載の発明は、前記履歴記憶部または前記画像記憶部は、記憶した前記操作履歴または前記読み取った画像を、ユーザから削除すべき旨の指示がなされない限り一定期間記憶することを特徴とする請求項１から４のいずれか１項に記載の画像処理装置である。
請求項６に記載の発明は、前記出力処理は、前記画像読取部が読み取った画像を媒体に出力する処理または当該画像の画像信号をＬＡＮあるいは通信回線に出力する処理であることを特徴とする請求項１から５のいずれか１項に記載の画像処理装置である。
【０００８】
請求項７に記載の発明は、前記警備期間設定部は、前記警備期間と設定しているときに所定の条件が満足した場合には当該警備期間を解除するものであり、前記警備期間設定部が前記警備期間と設定しているときには前記操作部の操作履歴を削除可能な特殊モードへの動作モードの切り替えを不許可とし、当該警備期間設定部が当該警備期間を解除したときには当該特殊モードへの動作モードの切り替えを許可する動作モード切替部をさらに含むことを特徴とする請求項１から６のいずれか１項に記載の画像処理装置である。
請求項８に記載の発明は、前記動作モード切替部は、前記操作部から所定の操作がなされた場合に前記特殊モードに切り替えることを特徴とする請求項７に記載の画像処理装置である。
【０００９】
請求項９に記載の発明は、コンピュータに、表示画面または操作ボタンを有する操作部の操作履歴を取得する機能と、原稿の画像を読み取る画像読取部が行う画像の読み取り処理は許可するが当該画像読取部が読み取った画像の出力処理は許可しない警備期間を設定する機能と、前記設定する機能が前記警備期間と設定しているときに前記取得する機能が取得した前記操作部の操作履歴を記憶部に記憶させる機能と、を実現させるためのプログラムである。
請求項１０に記載の発明は、前記設定する機能により前記警備期間と設定しているときに所定の条件が満足した場合には当該警備期間を解除する機能と、前記設定する機能により前記警備期間と設定しているときに前記取得する機能が取得した前記操作履歴により前記出力処理の要求の操作が行われたと認識した場合に、前記画像読取部で読み取った画像を少なくとも前記解除する機能が当該警備期間を解除するまで前記記憶部に記憶させる機能と、をさらに含むことを特徴とする請求項９記載のプログラムである。
【発明の効果】
【００１０】
本発明の請求項１によれば、本発明を採用しない場合に比べて、警備期間と設定した期間内の不正利用を抑制できるとともに、漏洩が発生した場合の事実把握を容易に行うことができる。
本発明の請求項２によれば、どのような秘密文書が漏洩の対象になったのかを容易に把握することができる。
本発明の請求項３によれば、本発明を採用しない場合に比べて、漏洩の対象となった秘密文書の把握を容易にすることができる。
本発明の請求項４によれば、漏洩の対象となった秘密文書の全てを認識することができる。
【００１１】
本発明の請求項５によれば、本発明を採用しない場合に比べて、漏洩の対象となった秘密文書を適確に把握することができる。
本発明の請求項６によれば、漏洩するための手段として考えられるものを広く抑制することができる。
本発明の請求項７によれば、記憶した操作履歴を適切に保存しておくことができる。
本発明の請求項８によれば、特殊モードへ移行することを容易にできないようにすることができる。
本発明の請求項９によれば、本発明を採用しない場合に比べて、警備期間と設定した期間内の不正利用を抑制できるとともに、漏洩が発生した場合の事実把握を容易に行うことができる。
本発明の請求項１０によれば、どのような秘密文書が漏洩の対象になったのかを容易に把握することができる。
【発明を実施するための最良の形態】
【００１２】
以下、添付図面を参照して、本発明を実施するための最良の形態（実施の形態）について詳細に説明する。
図１は、本実施の形態における画像処理装置１の機能構成例を示したブロック図である。
図示するように、画像処理装置１は、装置全体の動作を制御する制御部１０と、媒体上に画像を形成する画像形成部２０と、原稿の画像を読み取る画像読取部３０と、制御部１０が処理に用いるデータ等を記憶する記憶部４０を備える。また、画像処理装置１は、ネットワークを介して他の装置との間で通信を行うネットワーク接続部５０と、ファクシミリ送受信のための通信回線接続部６０と、表示画面および各種操作ボタンを有する操作部７０と装置内の各部に電力を供給する電源部８０とを備える。
そして、画像形成部２０、画像読取部３０、記憶部４０、ネットワーク接続部５０、通信回線接続部６０、操作部７０および電源部８０は、制御部１０に接続されている。
【００１３】
制御部１０は、装置全体の動作を制御するものであり、その詳細な構成および機能については後で詳述する。
画像形成部２０は、制御部１０における画像処理の結果に基づいて媒体に画像を形成するものである。画像形成部２０は、例えばプリンタであり、感光体に付着させたトナーを記録媒体に転写して像を形成する電子写真方式や、インクを記録媒体上に吐出して像を形成するインクジェット方式のものを例示することができる。なお、媒体とは、画像を印刷可能なものであれば、その材質は問わない。代表例は紙であるが、ＯＨＰシートや金属板、布等であっても構わない。
【００１４】
画像読取部３０は、原稿に印刷された画像を読み取るものである。画像読取部３０は、例えばスキャナであり、光源から原稿に照射した光に対する反射光をレンズで縮小してＣＣＤ(Charge Coupled Devices)で受光するＣＣＤ方式や、ＬＥＤ光源から原稿に順に照射した光に対する反射光をＣＩＳ(Contact Image Sensor)で受光するＣＩＳ方式のものを例示することができる。
記憶部４０は、例えば、ハードディスクドライブ（Hard Disk Drive）にて実現される。記憶部４０には、制御部１０により実行される処理プログラムが格納されており、画像処理装置１の立ち上げ時等に制御部１０がこの処理プログラムを読み込み実行することによって、本実施の形態の画像処理装置１での動作制御が実行される。また、画像処理の対象である画像等を記憶する。なお、本実施の形態では、操作部７０の操作履歴を記憶する履歴記憶部の一例として、記憶部４０を設けている。また、画像読取部３０で読み取った画像を記憶する画像記憶部の一例として、記憶部４０を設けている。
【００１５】
ネットワーク接続部５０は、ローカルエリアネットワーク（ＬＡＮ）を介して他の装置との間で行う通信を制御するＬＡＮカードやモデム等からなる。そして、例えば、ＰＣ（Personal Computer）やプリントサーバから印刷データを受信する。
通信回線接続部６０は、画像を電話回線等の通信回線を通じて送受信するファクシミリ（ＦＡＸ）送受信を行う。例えば、画像読取部３０が読み取った画像の信号をファクシミリ信号として電話回線等の通信回線に出力する。
操作部７０は、表示画面および各種操作ボタンを有し、ユーザから処理要求等の操作指示を受け付けたり、ユーザに対する選択情報や装置の動作状況等を表示したりする。
電源部８０は、制御部１０の制御に基づいて、装置各部へ電力を供給するものである。
【００１６】
次に、制御部１０について詳述する。
図２は、本実施の形態の制御部１０の機能構成を説明するブロック図である。制御部１０は、図２に示したように、装置全体を制御する際の演算処理を行なうＣＰＵ１１と、ＣＰＵ１１の作業用メモリ等として用いられるＲＡＭ１２と、ＣＰＵ１１により実行される処理プログラム等が格納されるＲＯＭ１３を備えている。また、制御部１０は、操作部７０における入力操作を検出してＣＰＵ１１に出力するとともに、操作部７０に出力する表示用データの変換処理等を制御する操作制御部１４と、ＰＣや記憶部４０等とのデータの送受信を制御するＩ／Ｏ制御部１５と、画像形成部２０や画像読取部３０等とのデータの送受信を制御する入出力インターフェース（Ｉ／Ｆ）部１６を備えている。さらに、制御部１０は、通信を制御する通信インターフェース（Ｉ／Ｆ）部１７と、電源部８０を介して各部位に対する電源の供給／遮断を個別に制御する電源制御インターフェース（Ｉ／Ｆ）部１８とを備えている。そして、これらは内部バス１９を介して相互に接続されている。
【００１７】
このように構成された制御部１０は、ＣＰＵ１１が記憶部４０からプログラムを読み込み実行することにより、出力処理部１１１、警備期間設定部１１２、動作モード切替部１１３を有している（図１参照）。そして、これら出力処理部１１１、警備期間設定部１１２、動作モード切替部１１３は、ソフトウェアとハードウェア資源とが協働することにより実現される。
出力処理部１１１は、画像読取部３０が読み取った画像に対して処理を施し、媒体上に画像を形成させるべく画像形成部２０に出力する。これにより、画像形成部２０は媒体上に画像を形成させる。また、出力処理部１１１は、画像読取部３０が読み取った画像に対して処理を施し、その画像の信号をファクシミリ信号として通信回線接続部６０を介して通信回線に出力する。また、出力処理部１１１は、画像読取部３０が読み取った画像に対して処理を施し、その画像の信号をネットワーク接続部５０を介してＬＡＮに出力する。これによりＬＡＮに接続された例えばパーソナルコンピュータ（不図示）を用いて、画像読取部３０がスキャンした画像を電子データとしてＵＳＢメモリなどの記憶媒体に記憶することができる。なお、以下では、特に断らない限り、（１）画像読取部３０が読み取った画像を媒体上に形成させるべく画像形成部２０に出力すること、（２）画像読取部３０が読み取った画像の信号をファクシミリ信号として通信回線に出力すること、（３）画像読取部３０が読み取った画像の信号をＬＡＮに出力すること、をまとめて出力処理という。
【００１８】
警備期間設定部１１２は、所定の条件が成立した場合に、画像読取部３０が行う画像の読み取り処理は許可するが画像読取部３０が読み取った画像の出力処理は許可しない期間を警備期間として設定する。また、所定の条件が満足した場合に、設定している警備期間を解除する。
なお、警備期間として設定するための所定の条件としては、以下の場合を例示することができる。（１）画像処理装置１が有する時計が示す時間が、ユーザが警備期間として予め定めた時間と一致するとき。（２）ユーザの操作部７０に対する所定の操作を認識した制御部１０から警備期間として設定すべき旨の指示を得たとき。
また、警備期間を解除するための所定の条件としては、以下の場合を例示することができる。（１）画像処理装置１が有する時計が示す時間が、ユーザが警備期間として予め定めた時間と一致しないとき。（２）ユーザの操作部７０に対する所定の操作を認識した制御部１０から警備期間を解除すべき旨の指示を得たとき。
なお、所定の操作としては、操作部７０の操作ボタンあるいは表示画面へのパスワードの入力や特殊キーの押下であることを例示することができる。
そして、ユーザが、「２１：００〜８：００」を警備期間としている場合には、警備期間設定部１１２は、画像処理装置１が有する時計が２１：００になったときに警備期間として設定し、８：００になったときに警備期間を解除する。また、警備期間設定部１１２が警備期間として設定しているときに、ユーザが警備期間解除のための所定の操作を行った場合には警備期間を解除する。また、警備期間設定部１１２が警備期間を解除しているときに、ユーザが警備期間設定のための所定の操作を行った場合には警備期間として設定する。
【００１９】
動作モード切替部１１３は、画像処理装置１の動作モードを、通常モードと特殊モード（ダイアグモード）に切り替える。通常モードとは、画像の読み取り処理や出力処理の実行が許可される通常のモードである。特殊モード（ダイアグモード）とは、読み取り処理や出力処理の実行を不許可とするが、画像処理装置１の各種設定を変更したり、記憶部４０に記憶している画像や操作部７０の操作履歴などを消去したりすることができるモードである。なお、動作モード切替部１１３は、所定の条件が満足した場合にのみ特殊モードに切り替える。
【００２０】
このように構成された画像処理装置１においては、警備期間設定部１１２が警備期間として設定しているときに、制御部１０が、以下に説明する警備期間処理を実行する。
図３は、制御部１０が行う処理である警備期間処理の手順を示すフローチャートである。制御部１０は、警備期間設定部１１２が警備期間として設定しているときであって、操作部７０の操作ボタンあるいは表示画面が押下された旨の信号を受信した場合に実行開始する。
【００２１】
先ず、操作部７０の操作ボタンあるいは表示画面の操作履歴を記憶部４０に記憶する（ステップ２０１）。その後、操作部７０の操作履歴を基に、受信した信号が、設定されている警備期間の解除の処理の要求であるか否かを判別する（ステップ２０２）。つまり、警備期間を解除するための所定の操作が操作ボタンあるいは表示画面を介して行われたか否かを判別する。そして、肯定判定された場合には、警備期間を解除し（ステップ２１０）、本処理の実行を終了する。
一方、ステップ２０２で否定判定された場合には、操作部７０の操作履歴を基に、複写処理、ファクシミリ送信あるいはスキャン（画像読取部３０に原稿の画像を読み取らせ、読み取った画像の電子データをＬＡＮを介して取得する行為）の要求であるか否かを判別する（ステップ２０３）。例えば、複写枚数を指示する数字、用紙サイズの選択のための操作ボタンあるいは表示画面の押下とともに複写処理を指示する操作ボタンあるいは表示画面の押下が行われたか否かを判別する。また、例えば、相手先のファクシミリ番号の数字の押下とともにファクシミリ送信を指示する操作ボタンあるいは表示画面の押下が行われたか否かを判別する。また、例えば、スキャンを指示する操作ボタンあるいは表示画面の押下が行われたか否かを判別する。そして、肯定判定された場合には、画像読取部３０に、複写、ファクシミリ送信あるいはスキャン対象の原稿の読み取りを行わせる（ステップ２０４）、一方、否定判定された場合には、ステップ２０１以降の処理を行う。
【００２２】
また、ステップ２０４においては、画像読取部３０に原稿の読み取りを行わせるとともに、操作部７０の表示画面に「次原稿無し」と記した選択ボタンを表示させる。ここで、警備期間設定部１１２が警備期間として設定しているときに画像読取部３０が原稿を読み取る際のデフォルト値を「次原稿有り」と設定しておく。そして、ユーザが、操作部７０の表示画面に表示した「次原稿無し」の選択ボタンを押下した場合にのみ、出力処理に移行できるように設定しておく。これは、処理対象の原稿が複数枚に及んでいたとしてもユーザに対して全ての原稿の読み取りを促すためである。
【００２３】
そして、ユーザにより操作部７０の表示画面に表示された「次原稿無し」の選択ボタンが押下された場合には、ステップ２０４で読み取った画像のデータを記憶部４０に記憶する（ステップ２０５）。その後、操作部７０の表示画面に「警備を解除して下さい」と表示させる（ステップ２０６）。そして、操作部７０の操作履歴を基に、設定されている警備期間を解除するための所定の操作が行われたか否かを判別する（ステップ２０７）。つまり、警備期間を解除するための所定の手順通りに操作ボタンあるいは表示画面が押下されたか否かを判別する。そして、肯定判定された場合には、ステップ２０８へ進む。一方、否定判定された場合には、ステップ２０９へ進み、所定期間が経過したか否かを判別する。
【００２４】
ステップ２０８においては、出力処理を行う。すなわち、ステップ２０３にて複写処理であると判定した場合には、ステップ２０４で読み取った画像のデータを出力するように出力処理部１１１に指示する。これにより、出力処理部１１１は、画像読取部３０が読み取った画像に対して処理を施し、媒体上に画像を形成させるべく画像形成部２０に出力する。そして、画像形成部２０は、媒体に画像を形成して複写物を生成する。また、ステップ２０３にてファクシミリ送信であると判定した場合には、ファクシミリ送信を実行するように出力処理部１１１に指示する。これにより、出力処理部１１１は、ステップ２０４で読み取った画像の信号をファクシミリ信号として通信回線に出力する。また、ステップ２０３にてスキャンであると判定した場合には、スキャンを完了するように出力処理部１１１に指示する。これにより、出力処理部１１１は、ステップ２０４で読み取った画像の信号をＬＡＮに出力する。その後、警備期間設定部１１２に警備期間を解除させ（ステップ２１０）、警備期間処理の実行を終了する。
ステップ２０９において、肯定判定された場合には、要求された複写、ファクシミリ送信などを実行することなしに警備期間処理の実行を終了する。一方、否定判定された場合には、ステップ２０７以降の処理を再度行う。つまり、警備期間解除処理がなされるか所定期間が経過するまで待機する。
【００２５】
このように、制御部１０が、この警備期間処理を実行することで、警備期間設定部１１２が設定している警備期間をユーザが手動で解除しない限り出力処理が行われない。つまり、複写物は生成されず、ファクシミリ送信も行われず、スキャン処理も完了しない。ゆえに、秘密文書等が不正に紙媒体に複写されたりファクシミリ送信されたり記憶媒体に電子的に記憶されたりすることを抑制することができる。
但し、出力処理が行われなくとも、記憶部４０に画像読取部３０が読み取った画像を記憶するのでどのような書類が不正にコピー、ファクシミリ送信などが行われようとしたのかを把握することができる。また、同時に操作部７０の操作履歴をも記憶しているので、どのような処理がなされようとしたのかを把握することができる。
もし、万が一、不正に警備期間が手動で解除され、出力処理が行われたとしても、記憶部４０が画像読取部３０にて読み取った画像および操作部７０の操作履歴を記憶しているので、どのような文書が不正に複写あるいは取得されたのか、どの宛先にファクシミリ送信が行われたのか容易に調査することができる。
なお、記憶部４０に記憶した画像読取部３０にて読み取った画像および操作部７０の操作履歴は、手動で削除しない限り一定期間、例えば、警備期間が解除された後数時間あるいは数日間記憶しておくことが好適である。
【００２６】
ここで、画像処理装置１には、画像処理装置１の各種設定を変更したり、記憶部４０に記憶している画像や操作部７０の操作履歴などを消去したりすることができる特殊モード（ダイアグモード）が設けられている。この特殊モードへは、所定の条件が満たされない限り、例えば、所定の権限を有する者にのみ通知された所定の操作が行われない限り、切り替わらないように設定されている。しかし、所定の権限を有する者が特殊モードに移行し故意に記憶部４０に記憶した画像や操作部７０の操作履歴を消去することが考えられる。また、不正に特殊モードへ切り替えるための所定の操作手順を入手した者が、不正に特殊モードに移行し記憶部４０に記憶した画像や操作履歴を消去することも考えられる。また、不正使用の履歴や画像が残らないように設定を変更したり、親展ボックスなどの機密文書を不正取得したりすることも考えられる。
【００２７】
そこで、不正に特殊モードへ切り替えられることを抑制するために、制御部１０は、警備期間設定部１１２が警備期間として設定しているときに、以下に説明するモード切替可否処理を実行する。
図４は、制御部１０が行う処理であるモード切替可否処理の手順を示すフローチャートである。制御部１０は、警備期間設定部１１２が警備期間として設定しているときであって、操作部７０の操作ボタンあるいは表示画面が押下された旨の信号を受信した場合に実行開始する。
【００２８】
先ず、操作部７０の操作ボタンあるいは表示画面の操作履歴を記憶部４０に記憶する（ステップ３０１）。その後、操作部７０の操作履歴を基に、受信した信号が、設定されている警備期間の解除の要求であるか否かを判別する（ステップ３０２）。つまり、警備期間を解除するための所定の操作が操作ボタンあるいは表示画面を介して行われたか否かを判別する。そして、肯定判定された場合には、警備期間を解除する（ステップ３０３）。一方、否定判定された場合には、特殊モードへ切り替えることなしに本処理の実行を終了する。
【００２９】
ステップ３０３にて警備期間を解除した後は、操作部７０の操作履歴を基に、特殊モードへの移行処理の要求であるか否かを判別する（ステップ３０４）。例えば、「特殊モード（ダイアグモード）」と表示された操作ボタンあるいは表示画面が押下されたか否かを判別する。そして、肯定判定された場合には、特殊モードへの移行条件を満たしているか否かを判別する（ステップ３０５）。一方、否定判定された場合には、特殊モードへ切り替えることなしに本処理の実行を終了する。
なお、特殊モードへの移行条件としては、以下の条件であることを例示することができる。（１）特殊キーの操作が行われたこと。例えば、特殊モードへの移行のために特別に設けた操作ボタンなどが押下されたこと。（２）予め定められたパスワードが入力されたこと。（３）予め登録された指紋などの認証コードが入力されたこと。（４）警備期間が解除された後所定の期間が経過したこと。
【００３０】
ステップ３０５にて肯定判定された場合には、動作モード切替部１１３に特殊モードへの切り替えをさせ（ステップ３０６）、本処理の実行を終了する。これにより、動作モード切替部１１３が動作モードを特殊モードへ切り替える。一方、ステップ３０５にて否定判定された場合には、終了条件が満足しているか否かを判別する（ステップ３０７）。この終了条件は、以下に詳述する。そして、ステップ３０７にて肯定判定された場合には、本処理の実行を終了する。一方、否定判定された場合には、移行条件を満たしていない旨のエラーメッセージを操作部７０の表示画面に表示させ（ステップ３０８）、ステップ３０５以降の処理を再度実行する。
【００３１】
ステップ３０７の終了条件としては、以下の条件であることを例示することができる。ステップ３０５の特殊モードへの移行条件が上記（１）である場合には、特殊キーの操作以外の操作が所定回数行われたこと、あるいは所定期間が経過したこと。移行条件が上記（２）である場合には、誤りのパスワードの入力が所定回数行われたこと、あるいは所定期間が経過したこと。移行条件が上記（３）である場合には、誤りの認証コードの入力が所定回数行われたこと、あるいは所定期間が経過したこと。移行条件が上記（４）である場合には、警備期間が解除された後、上記（４）の所定の期間よりも長く設定された期間が経過したこと。
【００３２】
このように、制御部１０が、このモード切替可否処理を実行することで、警備期間設定部１１２が設定している警備期間をユーザが手動で解除しない限り特殊モードへ切り替わらない。また、警備期間を手動で解除したとしても特殊モードへの移行条件が満たされない限り特殊モードへは切り替わらない。ゆえに、不正に特殊モードに移行し、記憶部４０に記憶した画像や操作部７０の操作履歴を消去することを抑制することができる。また、不正使用の履歴や画像が残らないように設定を変更したり、親展ボックスなどの機密文書を不正取得したりすることを抑制することができる。
【００３３】
なお、このモード切替可否処理は、警備期間設定部１１２が警備期間として設定しているときに、上述した警備期間処理とともに実行することが好適であるが、特にかかる態様に限定されない。いずれにしろ、モード切替可否処理を実行することで、不正使用の履歴や画像が残らないように設定を変更したり、親展ボックスなどの機密文書を不正取得したりすることを抑制することができる。また、不正に操作し警備期間を解除しようとした操作履歴をも記憶することができる。
【図面の簡単な説明】
【００３４】
【図１】実施の形態に係る画像処理装置の機能構成例を示したブロック図である。
【図２】実施の形態に係る制御部の機能構成を説明するブロック図である。
【図３】警備期間処理の手順を示すフローチャートである。
【図４】モード切替可否処理の手順を示すフローチャートである。
【符号の説明】
【００３５】
１…画像処理装置、１０…制御部、２０…画像形成部、３０…画像読取部、４０…記憶部、５０…ネットワーク接続部、６０…通信回線接続部、７０…操作部、８０…電源部、１１１…出力処理部、１１２…警備期間設定部、１１３…動作モード切替部
【図１】
2009278492.tif 000003
【図２】
2009278492.tif 000004
【図３】
2009278492.tif 000005
【図４】
2009278492.tif 000006